(57)【要約】  本発明は、ケーシング（１）と、貯蔵容器（２）と、計量弁（３）と、作動装置（４）とを有してなる材料ディスペンサに関する。公知のディスペンサにおいては計量弁は、計量弁（３）を作動装置（４）と確実に連結する連結手段を介して、初めて作動する。これは挿設後に先ず空運転を必要とするという短所を有する。本発明は連結手段がケーシング（１）内への貯蔵容器（２）の挿設およびそれと結びついた、ケーシング（１）と貯蔵容器（２）との間の挿設方向（Ｅ）における相対運動によって作動することによって上記短所を回避する。
2008529627.tif 000002
【特許請求の範囲】
【請求項１】
ケーシング背壁で壁面に取付け可能であると共に、旋回し得るようにして該ケーシング背壁に連結されたカバーを有するケーシング（１）と、ケーシング（１）内の容器受けに挿設方向（Ｅ）に向かって挿入可能な貯蔵容器（２）と、貯蔵容器（２）に配置されて、弁体の往復ストローク運動によって所定量の材料を供給し得る計量弁（３）と、上記ケーシングに配置されて、計量弁（３）を作動させる作動力を少なくとも１つの加圧手段を経て上記弁体に伝達し得る作動装置（４）とを有するディスペンサ、特に半固体状または液体状の材料を供給するための計量ディスペンサであって、該ディスペンサは特に、少なくとも上記弁体の運動方向における上記弁体と上記作動装置（４）との間の確実な連結を直接または間接につくり出す、少なくとも１つの保持エッジ（５）と、該保持エッジ（５）を少なくとも一部は従動子受けによって挟掴する少なくとも１つの伝動体（６）とによって形成された、上記ケーシング（１）に配置された連結手段を有し、上記連結手段は上記貯蔵容器（２）が挿設方向（Ｅ）に挿設される際に上記保持エッジ（５）が上記従動子受けに係合するように構成されているディスペンサにおいて、
上記容器受けは上記ケーシング背壁に配置され、上記カバーを旋回開放した後、上記貯蔵容器（２）は上記容器受けに挿設可能であり、上記連結手段は、上記貯蔵容器（２）の挿設運動の間に上記保持エッジ（５）を上記従動子受けに誘導係合させる、差込み方向に狭まってゆく案内路によって形成された係合補助手段を有することを特徴とするディスペンサ。
【請求項２】
請求項１において、
保持エッジ（５）は上記計量弁から側方に突き出したエッジによって形成されていることを特徴とするディスペンサ。
【請求項３】
上記２つの請求項のいずれか１項において、
上記係合補助手段は挿設方向（Ｅ）とは反対の方向に開放した受けフォーク（７）によって形成され、上記従動子受けの少なくとも一部は挿設方向（Ｅ）から見て受けフォーク（７）の後端に形成されていることを特徴とするディスペンサ。
【請求項４】
上記請求項において、
上記ケーシング背壁は前方に突き出した側壁を有し、上記作動装置（４）は該側壁の少なくとも一方に旋回式に支持された作動キーであって、該作動キーは上記ケーシング背壁の方向に延びる後方域に上記貯蔵容器（２）に対向して上記従動子受けを有することを特徴とするディスペンサ。
【請求項５】
上記２つの請求項のいずれか１項において、
受けフォーク（７）の１つの面と上記ケーシング背壁に対向する面とが上記従動子受けを形成することを特徴とするディスペンサ。
【請求項６】
上記請求項において、
上記受けフォーク（７）に加えて、上記計量弁（３）の少なくとも両側に配置された上記保持エッジ（５）がばね弾性係合し得る、上記受けフォーク（７）と同軸的に該受けフォークの上側面または下側面に配置されたばね弾性クランプフォーク（８）が設けられていることを特徴とするディスペンサ。
【請求項７】
上記２つの請求項のいずれか１項において、
上記ケーシング背壁は上記貯蔵容器（２）を担持する、前方へ突き出した通し穴付きキャリアプレートを有し、材料放出路を備えた上記計量弁（３）は材料供給のために下方に向かって上記通し穴を通して案内されていることを特徴とするディスペンサ。
【請求項８】
請求項１において、
上記連結手段は、上記計量弁（３）に配置された、挿設方向（Ｅ）と平行な１本の溝と、上記作動装置（４）から該溝の方向に突き出した少なくとも１つの保持エッジ（５）によって形成されていることを特徴とするディスペンサ。
【請求項９】
上記請求項のいずれか１項において、
上記計量弁（３）は上記貯蔵容器（２）と連結された吸込みチャンバ（９）によって形成され、該吸込みチャンバは第１の方向（Ｒ１）への上記作動装置（４）の運動により所定量の材料を放出するために圧縮可能であると共に、さらなる分の材料を吸引するために第２の方向（Ｒ２）への運動時に当該材料が上記貯蔵容器（２）から吸引可能であることを特徴とするディスペンサ。
【請求項１０】
上記請求項において、
上記吸込みチャンバ（９）と上記貯蔵容器（２）とは単一のプラスチック部材から製造され、上記吸込みチャンバ（９）と上記貯蔵容器（２）との間に、上記第１の方向への上記作動装置（４）の運動時に弁を介して閉鎖可能な流入路（１０）が配置されていることを特徴とするディシスペンサ。
【請求項１１】
上記請求項において、
上記吸込みチャンバ（９）と上記貯蔵容器（２）とは１本のプラスチック製チューブから中空成形法で製造されていることを特徴とするディスペンサ。
【発明の詳細な説明】
【技術分野】
【０００１】
本発明は特に、半固体状または液体状の材料たとえば液体セッケンまたは発泡シャンプーまたは発泡整髪料を適量供給するための計量ディスペンサとしてのディスペンサに関する。この種のディスペンサはケーシングを有し、該ケーシングはケーシング背壁で壁面に取付け可能であると共に、旋回し得るようにしてケーシング背壁に連結されたカバーで被覆されている。カバーの背後には、上記材料を収容すると同時に上記材料の適量供給を行うための計量弁を備えた貯蔵容器が配置されている。
【０００２】
補充のために、貯蔵容器は、多くの場合、計量弁と一緒に交換される。そのため、ケーシングは貯蔵容器を収容するための容器受けを有し、貯蔵容器は該容器受けに挿設方向から挿入することができる。その後、弁体の往復ストローク運動によって所定量の材料が供給され、その際、弁体は、少なくとも１つの加圧手段を経て作動力を弁体に伝達し得る、ケーシングに配置された作動装置を介して開閉制御される。
【０００３】
ディスペンサは特に、少なくとも弁体の運動方向における弁体と作動装置との間に確実な連結を直接または間接につくり出す、ケーシングに配置された連結手段を有している。この連結手段は少なくとも１つの保持エッジと、該保持エッジを少なくとも一部は従動子受けによって挟掴する少なくとも１つの伝動体とによって形成されて、貯蔵容器が挿設方向に挿設される際に保持エッジが従動子受けに係合するように構成されている。
【背景技術】
【０００４】
この種のディスペンサはＤＥ  ２７  ２７  ６７９  Ｂ２明細書から公知である。ただし、これらのディスペンサにおいて、ケーシングはカバーが手前前方に跳ね上げられ、跳ね上げられたカバー内に貯蔵容器が挿設されて、該カバーは貯蔵容器と共に再び閉じられる。これらのディスペンサはカバー機構に比較的大きな荷重がかかるという事実以外に、片手でカバーを保持し、他方の手で貯蔵容器を差し込むという方法でしか貯蔵容器を挿設することができないというさらなる短所を有している。さらにカバーは、勝手に開かないようにするため、常にケーシングにロックされなければならない。
【０００５】
ＥＰ  ０  ６５０  ６８７  Ｂ１明細書またはＥＰ  ０７０３  ８３１  Ｂ１明細書から、たとえば材料を補充するため、ケーシング内に貯蔵容器が挿設されるさらに別のディスペンサが公知である。そのためケーシングは、下に向いた取出し穴を備えた貯蔵容器を収容するクランプ継手を有している。クランプ継手としては、壁面に配されたケーシングのベースプレートから手前に直角に突き出した、計量弁と貯蔵容器との間に配置されたホルダが使用される。作動装置は旋回式“プッシュ”キーとして計量弁の下側に配置されて、ケーシングと連結されている。
【０００６】
上記公知のディスペンサにおいて、作動装置の初回作動時に、ばね弾性を有する係止タングによって形成された連結手段は側方外側に突き出した計量弁エッジに向かって押付けられる。これによって、フランジとして機能する計量弁の外側エッジはばね弾性を備えた連結手段の係止装置と係合し、貯蔵容器がケーシングから取り出されるに至るまで、作動装置は計量弁と連結された状態に保たれる。
【０００７】
作動装置はたとえば直角をなして後方に延びた“プッシュ”キーを具備していることから、“プッシュ”キーの押し込みは直角をなして後方に突き出した領域の上向運動を生ずる。これによって計量弁のピストンは上方へ運動させられ、それによって同時に材料が供給される。続いて、“プッシュ”キーが当初ポジションに復帰する際に、ピストンは再び下降させられ、ピストン内に配置された溜めチャンバに再び材料が満たされる。当初ポジションへの“プッシュ”キーの復帰はたとえば戻しばねによって実現される。
【０００８】
公知のディスペンサは材料を確実に供給することができるが、それにもかかわらず、初回作動時に連結手段のばね弾性タングが外側に突き出した計量弁のフランジを把捉しなければならないという短所を有している。この当初の初期運動の間、計量弁は機能せず、それどころか機械的な係合騒音を生ずる。
【０００９】
さらに、貯蔵容器の不適切な挿設によって係止手段は容易に歪ませられて、係止ポジションが消失してしまうかあるいは係止タングがフランジの上側面に対して垂直に向けられてしまうため、計量弁の上昇運動による係止タングの押し出しはもはや実現されないことになる。この場合には、ディスペンサは係止タングの機能障害によって使用不能となろう。
【発明の開示】
【発明が解決しようとする課題】
【００１０】
そこで本発明の目的は、貯蔵容器を片手で操作して容易に挿設し得ると同時に当初の機能不良を感じさせない確実な動作を可能とするディスペンサを創出することである。
【課題を解決するための手段】
【００１１】
上記課題は本発明により、容器受けがケーシング背壁に配置され、カバーを旋回開放した後、該容器受けに貯蔵容器を挿設することが可能であって、連結手段は、貯蔵容器の挿設運動の間に保持エッジを従動子受けに誘導係合させる、差込み方向に狭まってゆく案内路によって形成された係合補助手段を有することによって実現される。
【００１２】
連結手段はケーシングへの貯蔵容器の挿設ならびにそれと結びついた、挿設方向におけるケーシングと貯蔵容器との間の相対運動によって作動する。つまり、伝動体と保持エッジとの間の確実な連結は挿設によってすでに実現されている。したがって、ディスペンサは単にカバーを開いて、貯蔵容器を挿設すれば直ちに使用することができる。そのためにケーシングは、貯蔵容器が挿設される当該保持手段、特に、背壁から前方方向に延びるキャリアプレートを有している。
【００１３】
係合補助手段は挿設運動の間に計量弁の保持エッジが伝動体に挟掴係合されるようにする。そのため、係合補助手段は、キャリアプレートと共に、伝動体の方向に狭まってゆく隙間を形成する部材として形成されているかまたは、挿設運動の間に保持エッジが当該隙間内を案内されるように形成された隙間自体を具備する部材として形成されている。
【００１４】
本発明の態様によるディスペンサにより、貯蔵容器を片手で容易に挿設し得るのみならず、最初の作動時に弁はすでに動作ポジションに位置しており、係止運動が先立って行われる必要がないことから、機能不良感が生ずることも回避される。従って、連結手段は貯蔵容器の挿設直後にすでに係合状態にある。
【００１５】
単に、若干の態様の計量装置においては、作動装置の最初の作動によって計量弁が作動し、したがって、新たに挿設された満杯の貯蔵容器から材料が弁体内に吸入される必要があるにすぎない。この種の初期充填が不要であるかぎり、つまりたとえば計量弁のチャンバが出荷時にすでに充填されている場合には、ディスペンサは容器の挿設後直ちに使用することが可能である。したがって、公知のディスペンサに比較して、少なくとも弁を作動するための空運転は不要である。
【００１６】
本発明の好ましい１態様において、保持エッジは計量弁から側方外側へ突き出したエッジによって形成される。これはたとえば周回フランジであってよい。このフランジは弁の所定の機能時に上下動させられなければならない弁領域に配置されている。この領域は、ピストン作動される弁の場合には、例えば、ピストンと連結された計量弁領域であってよい。
【００１７】
弁としてバルーン型の圧力チャンバが用いられる場合には、保持エッジはこの圧力チャンバの壁面を周回包囲して配置されていてもよい。したがって、従動子受けは作動装置と共に可動するようにしてケーシング内に配置されている。好ましくはこの場合にも、垂直に延びる柄と、柄に対して直角をなしてケーシング背壁方向に突き出した機能ゾーンとを有する公知の“プッシュ”キーが使用される。
【００１８】
この場合、従動子受けは機能ゾーンの上部域に配置されていてよい。従動子受けの機能にとって本質的な点は、作動装置の上昇運動ならびに下降運動のいずれの場合にあってもそれが保持エッジに力を伝達し得るという事実である。したがって、通例、従動子受けは貯蔵容器が挿設方向に挿入される際に保持エッジが係合するスリットとして形成されよう。
【００１９】
好ましくは、本発明によるディスペンサにおいて、機能部品は、それらがたとえば中空成形によって製造されているため、円筒状に設計されるとよい。計量装置の機能部品も、それらがプラスチック部品であって、製造上の問題なしに円筒として非常に好適に製造可能であるため、好ましくは円筒形部品として成形される。
【００２０】
したがって、当然の帰結として、保持エッジも周回環状フランジとして形成されよう。この態様において、従動子受けは前方域を別として保持エッジ全体を包囲しているのが適切であろう。これによって、同時に貯蔵容器をクランプする作用ならびに保持する作用のいずれの機能も果たすことのできる円環状の従動子受けが生ずる。こうして、従動子受けに貯蔵容器を単に挿入するだけで貯蔵容器を固定することができると共に、垂直方向に保持力を伝達する加圧手段が設けられているかぎりで、計量装置の機能が保証される。
【００２１】
補充を速やかにし、誘導係合の煩わしさを避けて容易かつ簡単に貯蔵容器を挿設し得るようにするため、好ましくは、作動装置と共に可動し、保持エッジの誘導を容易にする受けフォークが使用される。これは、１態様において、従動子受けの上側要素が受けフォークによって形成されることに等しいといえよう。この場合、下側要素は、背壁に対して直角をなして配置された作動キーのベースプレートによって形成される。
【００２２】
したがって、保持エッジはベースプレートと受けフォークとの間に配置され、したがって、上方に対しては受けフォークの下側面で、下方に対してはベースプレートの上側面で挟掴支保されている。この態様において、計量弁を挿し込むことができるようにするため、ベースプレートは好ましくは計量弁を差し込むことのできる通し穴を有しており、計量弁を挿入した後、続いて貯蔵容器全体を後方のケーシング背壁の方向に向かって押すことができる。これを可能にするため、上記の計量弁通し穴は好ましくは溝穴または短冊穴として形成されている。
【００２３】
受けフォークは誘導プロセスを容易にするため、その間に保持エッジが整合される好ましくは前方に向かって広がったフォークアームを有している。該フォークアームは、保持エッジを後方のエンドポジションに正確に誘導し得るように、上方に折り曲げられていてよい。
【００２４】
好ましくは受けフォークのフォークアームは弾性を備えて形成されているかまたは、受けフォークに加えてさらに作動装置のベースプレートに弾性クランプフォークが設けられる。この弾性受けフォークまたはばね弾性クランプフォークは所要の機械的安定性を保証し得ると同時に、貯蔵容器を使用ポジションに確実に保持する係止機能を供する。
【００２５】
作動キーは通例１本の水平軸を中心にして旋回可能であり、したがってベースプレートは単に上方にではなく、円軌道を描いて上方に運動させられるという事実から、通例、ケーシング背壁から離隔して貯蔵容器の方向に向かって下方から作用する小さな力の成分が生ずる。この付加的な力の成分は金属製または安定したプラスチック製のフォークによって良好に吸収することができる。こうした理由から、作動キーと受けフォークに加えてさらに金属製のクランプフォークを設けるのが有用であろう。
【００２６】
受けフォークは“プッシュ”キーのベースプレートと一体結合されていてよい。この場合、好ましくは双方の部材は射出成形部品として製造される。別法として、たとえば金属製の受けフォークが差込み継ぎまたはリベット継ぎでベースプレートと結合されていてもよい。
【００２７】
上述した態様に代えて、言うまでもなく、保持エッジが内側に向かって突き出して、計量弁が周回溝を有していてもよい。したがって、たとえば保持エッジは周回溝にわずかな遊びを以って係合する受けフォークによって形成されていてよい。この態様において、作動装置はたとえば専ら受けフォークを介して計量弁と連結され、もしくはクランプフォークと結びついた受けフォークが計量弁と連結されている。
【００２８】
計量弁自体は、特にシンプルに、ケーシング背壁の方向の第１の方向への作動装置の運動によって圧縮される吸込みチャンバを有するバルーン弁として形成されていてよい。こうした圧縮によって材料はバルーン弁から追い出され、続いて、ケーシング背壁から離隔する第２の方向への戻り運動によって再び貯蔵容器から材料が吸引される。同時に、吐出しノズル部に残存しているわずかな量の材料は再びバルーン内部に吸い戻される。バルーンの両側のダイヤフラムによってシールが実現されることから、計量弁からの滴り落ちは回避される。
【００２９】
この態様において、吸込みチャンバおよび貯蔵容器はたとえば中空成形法で製造可能な単一のプラスチック部材から製造することができる。そのため、チューブは貯蔵容器の下側で適切な賦形によって直径が大幅に絞られて、こうして、吸込みチャンバを一方とし、貯蔵容器を他方とした２つの空間の間に短いまたは長い流入路が生ずる。
【００３０】
吸込みチャンバ自体はさまざまな形状を有していてよく、使用材料に応じて蛇腹状の圧縮域が設けられていてよく、あるいは、作動装置を介した壁面域の側方変位によって容易に圧縮可能な球状空間として形成されてよい。
【００３１】
本発明のその他の特徴および利点は従請求項の記載ならびに図面に基づく好ましい実施例の下記説明から判明する通りである。
【図面の簡単な説明】
【００３２】
各図は以下を表している。
【００３３】
【図１】本発明によるディスペンサの側方断面図である。
【００３４】
【図２】図１に示したディスペンサの連結手段の平面図である。
【００３５】
【図３】第１の態様の計量ポンプの概略図である。
【００３６】
【図４】第２の態様の計量ポンプの概略図である。
【００３７】
【図５】第３の態様の計量ポンプの概略図である。
【００３８】
【図６】第４の態様の計量ポンプの概略図である。
【００３９】
【図７】第５の態様の計量ポンプの概略図である。
【発明を実施するための最良の形態】
【００４０】
図１には、挿入方向Ｅに貯蔵容器２が挿設可能なケーシング１を有したディスペンサが表されている。該貯蔵容器には半固体状または液体状の材料、特に洗浄剤または整髪剤を満たすことができる。これらの材料は手動または電動作動可能な計量弁３を経て取り出すことができる。
【００４１】
計量弁２を作動させるため、図示例において手動式装置として表された作動装置４が設けられている。ユーザによって加えられた手動作動力は、この場合、加圧手段を経て弁体に伝達される。この場合、計量弁２は所定量の液体を供給し得るように形成されていると共に、その作動によって当該材料が発泡させられる発泡弁として形成されていてもよい。計量弁３を作動させるため、作動装置４は計量弁３の弁体を貯蔵容器２に対して相対往復動させることが可能でなければならない。そのための前提条件は、計量弁３の部材が作動装置４の領域で垂直方向にガイドされていることである。
【００４２】
図示実施形態はケーシング１内への貯蔵容器の挿設時に作動する連結手段を有している。
【００４３】
公知のディスペンサでは、作動装置４の初回作動時に保持タングが連結手段のエッジを越えて滑り出て、弾性係合することによって初めて作動が行われるが、他方、本発明によれば、連結手段の作動は挿設によって直接に実現される。そのため、伝動体６の従動子受けと連携する保持エッジ５が設けられている。これにより、ケーシング１内への貯蔵容器２の挿設時に保持エッジ５は伝動体６の下側に滑り込み、こうして、作動装置４の上側面と共に、計量弁３から側方に突き出した保持エッジ５を挟掴することになる。
【００４４】
今や、手動による圧力の印加によって作動装置４が第１の作動方向Ｒ１の方向に運動させられると、図示実施例において、計量弁３の下側に位置する弁域に圧力が及ぼされる。保持エッジ５は相補係合して垂直方向に保持されていることから、これにより、計量弁３の下側の可動域は上方へ押され、続いて、プッシュキーが第２の作動方向Ｒ２の方向に弾性復帰すると再び下方に引っ張られる。この往復ストローク運動により材料は先ず貯蔵容器２から計量弁３の中間チャンバに吸い込まれる。
【００４５】
同時に、同じ運動に際して、先行作動時にすでに吸い込まれて上記中間チャンバに溜められていた分の材料が下方もしくは任意のその他の方向に放出される。
【００４６】
図２は、受けフォーク６ならびにクランプフォーク８の領域を上方から見た図を示している。伝動体７（図中不図示である）は作動装置４として使用されるプッシュキーの上側面と受けフォーク６の下側面とによって形成され、この場合、保持エッジ５は不図示の計量弁３から側方へ突き出したフランジとして形成されている。
【００４７】
図３〜７には、基本的にすべてバルーン技法に依拠し、上下域がダイヤフラム弁でシールされた球状、半球状、蛇腹状のバルーン、もしくは垂直方向に連続的に拡大または縮小してゆくバルーンを使用した５種類の別途態様の計量弁３が表されている。
【００４８】
ダイヤフラム弁（別法としてその他の態様も使用し得ることは無論である）は、プッシュキーの押し込み時に、貯蔵容器２との上部連通域を閉鎖すると同時に下部域を開放し、バルーンの内容を同所から下方に放出することができる。続いて、プッシュキーが弾性復帰する際に下側弁は閉鎖されるため、材料を吸引するための低圧が形成される。
【００４９】
計量弁３の上記態様はもっぱら実施例と見なされなければならない。本発明に関連してその他の弁を使用することも可能である。
【００５０】
【符号の説明】
【００５１】
１：  ケーシング
【００５２】
２：  貯蔵容器
【００５３】
３：  計量弁
【００５４】
４：  作動装置
【００５５】
５：  保持エッジ
【００５６】
６：  受けフォーク
【００５７】
７：  伝動体
【００５８】
８：  クランプフォーク
【００５９】
９：  吸込みチャンバ
【００６０】
１０：流入路
【００６１】
【００６２】
Ｅ：  差込み方向
【００６３】
Ｒ１：第１の（作動）方向
【００６４】
Ｒ２：第２の（復帰）方向
【図１】
2008529627.tif 000003
【図２】
2008529627.tif 000004
【図３】
2008529627.tif 000005
【図４】
2008529627.tif 000006
【図５】
2008529627.tif 000007
【図６】
2008529627.tif 000008
【図７】
2008529627.tif 000009
【手続補正書】
【提出日】平成19年12月17日(2007.12.17)
【手続補正１】
【補正対象書類名】明細書
【補正対象項目名】全文
【補正方法】変更
【補正の内容】
【発明の詳細な説明】
【技術分野】
【０００１】
本発明は特に、半固体状または液体状の材料たとえば液体セッケンまたは発泡シャンプーまたは発泡整髪料を適量供給するための計量ディスペンサとしてのディスペンサに関する。この種のディスペンサはケーシングを有し、該ケーシングはケーシング背壁で壁面に取付け可能であると共に、旋回し得るようにしてケーシング背壁に連結されたカバーで被覆されている。カバーの背後には、上記材料を収容すると同時に上記材料の適量供給を行なうための計量弁を備えた貯蔵容器が配置されている。
【０００２】
補充のために、貯蔵容器は、多くの場合、計量弁と一緒に交換される。そのため、ケーシングは貯蔵容器を収容するための容器受けを有し、貯蔵容器は該容器受けに挿設方向から挿入することができる。その後、弁体の往復ストローク運動によって所定量の材料が供給され、その際、弁体は、少なくとも１つの加圧手段を経て作動力を弁体に伝達し得る、ケーシングに配置された作動装置を介して開閉制御される。
【０００３】
ディスペンサは特に、少なくとも弁体の運動方向における弁体と作動装置との間に確実な連結を直接または間接につくり出す、ケーシングに配置された連結手段を有している。この連結手段は少なくとも１つの保持エッジと、該保持エッジを少なくとも一部は従動子受けによって挟掴する少なくとも１つの伝動体とによって形成されて、貯蔵容器が挿設方向に挿設される際に保持エッジが従動子受けに係合するように構成されている。
【背景技術】
【０００４】
この種のディスペンサはＤＥ  ２７  ２７  ６７９  Ｂ２明細書から公知である。ただし、これらのディスペンサにおいて、ケーシングはカバーが手前前方に跳ね上げられ、跳ね上げられたカバー内に貯蔵容器が挿設されて、該カバーは貯蔵容器と共に再び閉じられる。これらのディスペンサはカバー機構に比較的大きな荷重がかかるという事実以外に、片手でカバーを保持し、他方の手で貯蔵容器を差し込むという方法でしか貯蔵容器を挿設することができないというさらなる短所を有している。さらにカバーは、勝手に開かないようにするため、常にケーシングにロックされなければならない。
【０００５】
ＥＰ  ０  ６５０  ６８７  Ｂ１明細書またはＥＰ  ０７０３  ８３１  Ｂ１明細書から、たとえば材料を補充するため、ケーシング内に貯蔵容器が挿設されるさらに別のディスペンサが公知である。そのためケーシングは、下に向いた取出し穴を備えた貯蔵容器を収容するクランプ継手を有している。クランプ継手としては、壁面に配されたケーシングのベースプレートから手前に直角に突き出した、計量弁と貯蔵容器との間に配置されたホルダが使用される。作動装置は旋回式“プッシュ”キーとして計量弁の下側に配置されて、ケーシングと連結されている。
【０００６】
上記公知のディスペンサにおいて、作動装置の初回作動時に、ばね弾性を有する係止タングによって形成された連結手段は側方外側に突き出した計量弁エッジに向かって押付けられる。これによって、フランジとして機能する計量弁の外側エッジはばね弾性を備えた連結手段の係止装置と係合し、貯蔵容器がケーシングから取り出されるに至るまで、作動装置は計量弁と連結された状態に保たれる。
【０００７】
作動装置はたとえば直角をなして後方に延びた“プッシュ”キーを具備していることから、“プッシュ”キーの押し込みは直角をなして後方に突き出した領域の上向運動を生ずる。これによって計量弁のピストンは上方へ運動させられ、それによって同時に材料が供給される。続いて、“プッシュ”キーが当初ポジションに復帰する際に、ピストンは再び下降させられ、ピストン内に配置された溜めチャンバに再び材料が満たされる。当初ポジションへの“プッシュ”キーの復帰はたとえば戻しばねによって実現される。
【０００８】
公知のディスペンサは材料を確実に供給することができるが、それにもかかわらず、初回作動時に連結手段のばね弾性タングが外側に突き出した計量弁のフランジを把捉しなければならないという短所を有している。この当初の初期運動の間、計量弁は機能せず、それどころか機械的な係合騒音を生ずる。
【０００９】
さらに、貯蔵容器の不適切な挿設によって係止手段は容易に歪ませられて、係止ポジションが消失してしまうかあるいは係止タングがフランジの上側面に対して垂直に向けられてしまうため、計量弁の上昇運動による係止タングの押し出しはもはや実現されないことになる。この場合には、ディスペンサは係止タングの機能障害によって使用不能となろう。
【００１０】
ＵＳ  ２００４／０２３２１６８  Ａ１明細書からまたも冒頭に述べた類のディスペンサが公知である。このディスペンサも、計量弁と貯蔵容器との間の移行域に配置された切欠・ばね継手によって形成された貯蔵容器受けを有している。このディスペンサは、挿設に際して切欠がばねに係合されなければならず、これは特に貯蔵容器の重心が該継手のかなり上方に位置しているために困難であり、手ではほとんど不可能であるという短所を有している。
【発明の開示】
【発明が解決しようとする課題】
【００１１】
そこで本発明の目的は、貯蔵容器を片手で操作して容易に挿設し得ると同時に当初の機能不良を感じさせない確実な動作を可能とするディスペンサを創出することである。
【課題を解決するための手段】
【００１２】
上記課題は本発明により、容器受けがケーシング背壁に配置され、カバーを旋回開放した後、該容器受けに貯蔵容器を挿設することが可能であって、連結手段は、貯蔵容器の挿設運動の間に保持エッジを従動子受けに誘導係合させる、差込み方向に狭まってゆく案内路によって形成された係合補助手段を有することによって実現される。
【００１３】
連結手段はケーシングへの貯蔵容器の挿設ならびにそれと結びついた、挿設方向におけるケーシングと貯蔵容器との間の相対運動によって作動する。つまり、伝動体と保持エッジとの間の確実な連結は挿設によってすでに実現されている。したがって、ディスペンサは単にカバーを開いて、貯蔵容器を挿設すれば直ちに使用することができる。そのためにケーシングは、貯蔵容器が挿設される当該保持手段、特に、背壁から前方方向に延びるキャリアプレートを有している。
【００１４】
係合補助手段は挿設運動の間に計量弁の保持エッジが伝動体に挟掴係合されるようにする。そのため、係合補助手段は、キャリアプレートと共に、伝動体の方向に狭まってゆく隙間を形成する部材として形成されているかまたは、挿設運動の間に保持エッジが当該隙間内を案内されるように形成された隙間自体を具備する部材として形成されている。
【００１５】
本発明の態様によるディスペンサにより、貯蔵容器を片手で容易に挿設し得るのみならず、最初の作動時に弁はすでに動作ポジションに位置しており、係止運動が先立って行われる必要がないことから、機能不良感が生ずることも回避される。従って、連結手段は貯蔵容器の挿設直後にすでに係合状態にある。
【００１６】
単に、若干の態様の計量装置においては、作動装置の最初の作動によって計量弁が作動し、したがって、新たに挿設された満杯の貯蔵容器から材料が弁体内に吸入される必要があるにすぎない。この種の初期充填が不要であるかぎり、つまりたとえば計量弁のチャンバが出荷時にすでに充填されている場合には、ディスペンサは容器の挿設後直ちに使用することが可能である。したがって、公知のディスペンサに比較して、少なくとも弁を作動するための空運転は不要である。
【００１７】
本発明の好ましい１態様において、保持エッジは計量弁から側方外側へ突き出したエッジによって形成される。これはたとえば周回フランジであってよい。このフランジは弁の所定の機能時に上下動させられなければならない弁領域に配置されている。この領域は、ピストン作動される弁の場合には、例えば、ピストンと連結された計量弁領域であってよい。
【００１８】
弁としてバルーン型の圧力チャンバが用いられる場合には、保持エッジはこの圧力チャンバの壁面を周回包囲して配置されていてもよい。したがって、従動子受けは作動装置と共に可動するようにしてケーシング内に配置されている。好ましくはこの場合にも、垂直に延びる柄と、柄に対して直角をなしてケーシング背壁方向に突き出した機能ゾーンとを有する公知の“プッシュ”キーが使用される。
【００１９】
この場合、従動子受けは機能ゾーンの上部域に配置されていてよい。従動子受けの機能にとって本質的な点は、作動装置の上昇運動ならびに下降運動のいずれの場合にあってもそれが保持エッジに力を伝達し得るという事実である。したがって、通例、従動子受けは貯蔵容器が挿設方向に挿入される際に保持エッジが係合するスリットとして形成されよう。
【００２０】
好ましくは、本発明によるディスペンサにおいて、機能部品は、それらがたとえば中空成形によって製造されているため、円筒状に設計されるとよい。計量装置の機能部品も、それらがプラスチック部品であって、製造上の問題なしに円筒として非常に好適に製造可能であるため、好ましくは円筒形部品として成形される。
【００２１】
したがって、当然の帰結として、保持エッジも周回環状フランジとして形成されよう。この態様において、従動子受けは前方域を別として保持エッジ全体を包囲しているのが適切であろう。これによって、同時に貯蔵容器をクランプする作用ならびに保持する作用のいずれの機能も果たすことのできる円環状の従動子受けが生ずる。こうして、従動子受けに貯蔵容器を単に挿入するだけで貯蔵容器を固定することができると共に、垂直方向に保持力を伝達する加圧手段が設けられているかぎりで、計量装置の機能が保証される。
【００２２】
補充を速やかにし、誘導係合の煩わしさを避けて容易かつ簡単に貯蔵容器を挿設し得るようにするため、好ましくは、作動装置と共に可動し、保持エッジの誘導を容易にする受けフォークが使用される。これは、１態様において、従動子受けの上側要素が受けフォークによって形成されることに等しいといえよう。この場合、下側要素は、背壁に対して直角をなして配置された作動キーのベースプレートによって形成される。
【００２３】
したがって、保持エッジはベースプレートと受けフォークとの間に配置され、したがって、上方に対しては受けフォークの下側面で、下方に対してはベースプレートの上側面で挟掴支保されている。この態様において、計量弁を挿し込むことができるようにするため、ベースプレートは好ましくは計量弁を差し込むことのできる通し穴を有しており、計量弁を挿入した後、続いて貯蔵容器全体を後方のケーシング背壁の方向に向かって押すことができる。これを可能にするため、上記の計量弁通し穴は好ましくは溝穴または短冊穴として形成されている。
【００２４】
受けフォークは誘導プロセスを容易にするため、その間に保持エッジが整合される好ましくは前方に向かって広がったフォークアームを有している。該フォークアームは、保持エッジを後方のエンドポジションに正確に誘導し得るように、上方に折り曲げられていてよい。
【００２５】
好ましくは受けフォークのフォークアームは弾性を備えて形成されているかまたは、受けフォークに加えてさらに作動装置のベースプレートに弾性クランプフォークが設けられる。この弾性受けフォークまたはばね弾性クランプフォークは所要の機械的安定性を保証し得ると同時に、貯蔵容器を使用ポジションに確実に保持する係止機能を供する。
【００２６】
作動キーは通例１本の水平軸を中心にして旋回可能であり、したがってベースプレートは単に上方にではなく、円軌道を描いて上方に運動させられるという事実から、通例、ケーシング背壁から離隔して貯蔵容器の方向に向かって下方から作用する小さな力の成分が生ずる。この付加的な力の成分は金属製または安定したプラスチック製のフォークによって良好に吸収することができる。こうした理由から、作動キーと受けフォークに加えてさらに金属製のクランプフォークを設けるのが有用であろう。
【００２７】
受けフォークは“プッシュ”キーのベースプレートと一体結合されていてよい。この場合、好ましくは双方の部材は射出成形部品として製造される。別法として、たとえば金属製の受けフォークが差込み継ぎまたはリベット継ぎでベースプレートと結合されていてもよい。
【００２８】
上述した態様に代えて、言うまでもなく、保持エッジが内側に向かって突き出して、計量弁が周回溝を有していてもよい。したがって、たとえば保持エッジは周回溝にわずかな遊びを以って係合する受けフォークによって形成されていてよい。この態様において、作動装置はたとえば専ら受けフォークを介して計量弁と連結され、もしくはクランプフォークと結びついた受けフォークが計量弁と連結されている。
【００２９】
計量弁自体は、特にシンプルに、ケーシング背壁の方向の第１の方向への作動装置の運動によって圧縮される吸込みチャンバを有するバルーン弁として形成されていてよい。こうした圧縮によって材料はバルーン弁から追い出され、続いて、ケーシング背壁から離隔する第２の方向への戻り運動によって再び貯蔵容器から材料が吸引される。同時に、吐出しノズル部に残存しているわずかな量の材料は再びバルーン内部に吸い戻される。バルーンの両側のダイヤフラムによってシールが実現されることから、計量弁からの滴り落ちは回避される。
【００３０】
この態様において、吸込みチャンバおよび貯蔵容器はたとえば中空成形法で製造可能な単一のプラスチック部材から製造することができる。そのため、チューブは貯蔵容器の下側で適切な賦形によって直径が大幅に絞られて、こうして、吸込みチャンバを一方とし、貯蔵容器を他方とした２つの空間の間に短いまたは長い流入路が生ずる。
【００３１】
吸込みチャンバ自体はさまざまな形状を有していてよく、使用材料に応じて蛇腹状の圧縮域が設けられていてよく、あるいは、作動装置を介した壁面域の側方変位によって容易に圧縮可能な球状空間として形成されてよい。
【００３２】
本発明のその他の特徴および利点は従請求項の記載ならびに図面に基づく好ましい実施例の下記説明から判明する通りである。
【発明を実施するための最良の形態】
【００３３】
図１には、挿入方向Ｅに貯蔵容器２が挿設可能なケーシング１を有したディスペンサが表されている。該貯蔵容器には半固体状または液体状の材料、特に洗浄剤または整髪剤を満たすことができる。これらの材料は手動または電動作動可能な計量弁３を経て取り出すことができる。
【００３４】
計量弁２を作動させるため、図示例において手動式装置として表された作動装置４が設けられている。ユーザによって加えられた手動作動力は、この場合、加圧手段を経て弁体に伝達される。この場合、計量弁２は所定量の液体を供給し得るように形成されていると共に、その作動によって当該材料が発泡させられる発泡弁として形成されていてもよい。計量弁３を作動させるため、作動装置４は計量弁３の弁体を貯蔵容器２に対して相対往復動させることが可能でなければならない。そのための前提条件は、計量弁３の部材が作動装置４の領域で垂直方向にガイドされていることである。
【００３５】
図示実施形態はケーシング１内への貯蔵容器の挿設時に作動する連結手段を有している。
【００３６】
公知のディスペンサでは、作動装置４の初回作動時に保持タングが連結手段のエッジを越えて滑り出て、弾性係合することによって初めて作動が行われるが、他方、本発明によれば、連結手段の作動は挿設によって直接に実現される。そのため、伝動体６の従動子受けと連携する保持エッジ５が設けられている。これにより、ケーシング１内への貯蔵容器２の挿設時に保持エッジ５は伝動体６の下側に滑り込み、こうして、作動装置４の上側面と共に、計量弁３から側方に突き出した保持エッジ５を挟掴することになる。
【００３７】
今や、手動による圧力の印加によって作動装置４が第１の作動方向Ｒ１の方向に運動させられると、図示実施例において、計量弁３の下側に位置する弁域に圧力が及ぼされる。保持エッジ５は相補係合して垂直方向に保持されていることから、これにより、計量弁３の下側の可動域は上方へ押され、続いて、プッシュキーが第２の作動方向Ｒ２の方向に弾性復帰すると再び下方に引っ張られる。この往復ストローク運動により材料は先ず貯蔵容器２から計量弁３の中間チャンバに吸い込まれる。
【００３８】
同時に、同じ運動に際して、先行作動時にすでに吸い込まれて上記中間チャンバに溜められていた分の材料が下方もしくは任意のその他の方向に放出される。
【００３９】
図２は、受けフォーク６ならびにクランプフォーク８の領域を上方から見た図を示している。伝動体７（図中不図示である）は作動装置４として使用されるプッシュキーの上側面と受けフォーク６の下側面とによって形成され、この場合、保持エッジ５は不図示の計量弁３から側方へ突き出したフランジとして形成されている。
【００４０】
図３〜７には、基本的にすべてバルーン技法に依拠し、上下域がダイヤフラム弁でシールされた球状、半球状、蛇腹状のバルーン、もしくは垂直方向に連続的に拡大または縮小してゆくバルーンを使用した５種類の別途態様の計量弁３が表されている。
【００４１】
ダイヤフラム弁（別法としてその他の態様も使用し得ることは無論である）は、プッシュキーの押し込み時に、貯蔵容器２との上部連通域を閉鎖すると同時に下部域を開放し、バルーンの内容を同所から下方に放出することができる。続いて、プッシュキーが弾性復帰する際に下側弁は閉鎖されるため、材料を吸引するための低圧が形成される。
【００４２】
計量弁３の上記態様はもっぱら実施例と見なされなければならない。本発明に関連してその他の弁を使用することも可能である。
【図面の簡単な説明】
【００４３】
【図１】本発明によるディスペンサの側方断面図である。
【図２】図１に示したディスペンサの連結手段の平面図である。
【図３】第１の態様の計量ポンプの概略図である。
【図４】第２の態様の計量ポンプの概略図である。
【図５】第３の態様の計量ポンプの概略図である。
【図６】第４の態様の計量ポンプの概略図である。
【図７】第５の態様の計量ポンプの概略図である。
【符号の説明】
【００４４】
１：  ケーシング
２：  貯蔵容器
３：  計量弁
４：  作動装置
５：  保持エッジ
６：  受けフォーク
７：  伝動体
８：  クランプフォーク
９：  吸込みチャンバ
１０：  流入路
Ｅ：  差込み方向
Ｒ１：  第１の（作動）方向
Ｒ２：  第２の（復帰）方向
【国際調査報告】
2008529627.tif 000010
2008529627.tif 000011
2008529627.tif 000012
2008529627.tif 000013